(57)【要約】【課題】ＬＥＤ等の出力回路の短絡又は回復状態を正確に検出して無用な消灯動作を回避するとともに、出力回路の不完全な短絡を検出して短絡箇所における放電及び発熱を防止することができるＬＥＤ電源回路を提供する。【解決手段】ＬＥＤ電源回路１は、ＬＥＤ２に直流電流を供給する電力供給回路１３と、電力供給回路１３の出力電圧を検出する電圧検出回路１５と、出力電圧が閾値未満となってからの所定の短絡確認期間の長さＴｓに対する、出力電圧が閾値以上となる期間の合計の長さＴｘの割合によって規定される回復率Ｔｘ／Ｔｓが所定値α以上の場合には電力供給回路１３の動作を継続させ、回復率Ｔｘ／Ｔｓが所定値α未満の場合には停止信号を出力して電力供給回路１３の動作を停止させる制御部２０を備える。【選択図】  図１
2015076212.tif 000002
【特許請求の範囲】
【請求項１】
ＬＥＤ電源回路であって、
ＬＥＤに直流電力を供給する電力供給回路と、
前記電力供給回路の出力電圧を検出する電圧検出回路と、
前記出力電圧が閾値未満となってからの所定の短絡確認期間の長さに対する、前記出力電圧が前記閾値以上となる期間の合計の長さの割合によって規定される回復率が所定値以上の場合には前記電力供給回路の動作を継続させ、前記回復率が前記所定値未満の場合には停止信号を出力して前記電力供給回路の動作を停止させる制御部と
を備えたＬＥＤ電源回路。
【請求項２】
請求項１に記載のＬＥＤ電源回路であって、
前記電力供給回路の出力電流を検出する電流検出回路をさらに備え、
前記電力供給回路が、前記電流検出回路によって検出される出力電流が所定の電流設定値に一致するように定電流制御を行う定電流回路からなる、ＬＥＤ電源回路。
【請求項３】
請求項１又は２に記載のＬＥＤ電源回路であって、前記短絡確認期間において前記出力電圧が前記閾値を下回った回数が所定値以上の場合には前記制御部が前記停止信号を出力するように構成されたＬＥＤ電源回路。
【請求項４】
請求項１又は２に記載のＬＥＤ電源回路であって、前記短絡確認期間において前記出力電圧が前記閾値を下回った回数が所定値に達した時点で前記制御部が前記停止信号を出力するように構成されたＬＥＤ電源回路。
【請求項５】
ＬＥＤ電源回路であって、
ＬＥＤに直流電力を供給する電力供給回路と、
前記電力供給回路の出力電流を検出する電流検出回路と、
前記出力電流が閾値を超えてからの所定の短絡確認期間の長さに対する、前記出力電流が前記閾値以下となる期間の合計の長さの割合によって規定される回復率が所定値以上の場合には前記電力供給回路の動作を継続させ、前記回復率が前記所定値未満の場合には停止信号を出力して前記電力供給回路の動作を停止させる制御部と
を備えたＬＥＤ電源回路。
【請求項６】
請求項５に記載のＬＥＤ電源回路であって、
前記電力供給回路の出力電圧を検出する電圧検出回路をさらに備え、
前記電力供給回路が、前記電圧検出回路によって検出される出力電圧が所定の電圧設定値に一致するように定電圧制御を行う定電圧回路からなる、ＬＥＤ電源回路。
【請求項７】
請求項５又は６に記載のＬＥＤ電源回路であって、前記短絡確認期間において前記出力電流が前記閾値を超えた回数が所定値以上の場合には前記制御部が前記停止信号を出力するように構成されたＬＥＤ電源回路。
【請求項８】
請求項５又は６に記載のＬＥＤ電源回路であって、前記短絡確認期間において前記出力電流が前記閾値を超えた回数が所定値に達した時点で前記制御部が前記停止信号を出力するように構成されたＬＥＤ電源回路。
【請求項９】
請求項１から８のいずれか一項に記載のＬＥＤ電源回路において、前記短絡確認期間が０．５秒以上５秒以下である、ＬＥＤ電源回路。
【請求項１０】
請求項１から９のいずれか一項に記載のＬＥＤ電源回路と、前記ＬＥＤとを備えたＬＥＤ照明装置。
【発明の詳細な説明】
【技術分野】
【０００１】
本発明はＬＥＤ電源回路及びそれを用いたＬＥＤ照明装置に関する。
【背景技術】
【０００２】
特許文献１は、スイッチング電源における変圧器（６）の二次側部品短絡時の保護を行う短絡保護回路を開示する。この短絡保護回路は、スイッチング電源の出力平滑回路に接続される異常出力電圧検出回路（３９）、及びその検出信号を受けて動作する電力変換スイッチ発振停止回路（３８）からなる。変圧器の二次側巻線（５）のレアショート等といった二次側部品の短絡時に、出力電圧が設定値以下に低下したことを異常出力電圧検出回路が検出し、発振停止回路が電力変換スイッチ（２）の発振を停止させ、変圧器、電力変換スイッチ等の異常発熱を防止する。また、ノイズ等に起因する誤検出及び誤動作を防止するため、コンデンサ（２５）及び抵抗（１８、２４）の積分回路からなる誤動作防止回路によって制御信号が積分される。
【先行技術文献】
【特許文献】
【０００３】
【特許文献１】特開平７−２２７０８３号公報
【発明の概要】
【発明が解決しようとする課題】
【０００４】
しかし、特許文献１の構成によると、異常出力電圧検出回路において一旦出力側の短絡が検出されると、電力変換スイッチの発振が停止される。従って、短絡発生後に正常状態への回復が可能な場合であっても負荷の駆動が停止されてしまう。ここで、負荷がＬＥＤからなる場合、出力側回路の短絡が一度検出されたことに応じて消灯する構成によると、回路が正常であっても短絡誤検出等に起因する無用な消灯動作のために照明装置がその機能を充分に果たせなくなるという問題がある。
【０００５】
また、ＬＥＤ等の出力側回路が不完全に短絡した場合、異常検出の結果が頻繁に反復又は振動することになる。検出信号が積分回路によって積分される構成においては、このような振動する状態が平均化された積分結果として検出されてしまうため、不完全な短絡が異常として検出されない可能性がある。そのため、接触不良箇所において、電力変換スイッチ等からの電流出力が継続して通電され、放電及びそれに起因する発熱がもたらされる場合があり、好ましくない。
【０００６】
そこで、本発明は、ＬＥＤ等の出力回路の短絡又は回復状態を正確に検出して無用な消灯動作を回避するとともに、出力回路の不完全な短絡を検出して短絡箇所における放電及び発熱を防止することができるＬＥＤ電源回路及びそれを用いたＬＥＤ照明装置を提供することを課題とする。
【課題を解決するための手段】
【０００７】
本発明の第１の実施形態によるＬＥＤ電源回路は、ＬＥＤに直流電力を供給する電力供給回路と、電力供給回路の出力電圧を検出する電圧検出回路と、出力電圧が閾値未満となってからの所定の短絡確認期間の長さに対する、出力電圧が閾値以上となる期間の合計の長さの割合によって規定される回復率が所定値以上の場合には電力供給回路の動作を継続させ、回復率が所定値未満の場合には停止信号を出力して電力供給回路の動作を停止させる制御部とを備える。
【０００８】
本発明の第２の実施形態によるＬＥＤ電源回路は、ＬＥＤに直流電力を供給する電力供給回路と、電力供給回路の出力電流を検出する電流検出回路と、出力電流が閾値を超えてからの所定の短絡確認期間の長さに対する、出力電流が閾値以下となる期間の合計の長さの割合によって規定される回復率が所定値以上の場合には電力供給回路の動作を継続させ、回復率が所定値未満の場合には停止信号を出力して電力供給回路の動作を停止させる制御部とを備える。
【０００９】
上記各ＬＥＤ電源回路によると、短絡確認期間における回復率が高い場合には電力供給回路の出力が継続され、回復率が低い場合には電力供給回路の出力が停止される。これにより、ＬＥＤ等の出力回路が一時的に短絡した後に健全な状態に回復する場合、又は外来ノイズ、瞬時停電等によって一時的に出力電圧又はその検出値が低下した場合に、ＬＥＤの点灯を維持することができ、無用な消灯を回避することができる。また、ＬＥＤ等の出力回路の不完全な短絡によって検出電圧が頻繁に振動する場合であっても回復期間が短ければＬＥＤが消灯されるので、不完全短絡箇所における放電及び発熱が回避される。
【００１０】
上記第１の実施形態のＬＥＤ電源回路において、さらに、電力供給回路の出力電流を検出する電流検出回路を備え、電力供給回路が、電流検出回路によって検出される出力電流が所定の電流設定値に一致するように定電流制御を行う定電流回路からなる構成としてもよい。このように、電力供給回路が定電流回路である場合には、その電流フィードバック作用により出力回路短絡時の出力電圧の変化が増幅され、上記の出力電圧検出による短絡判別の精度が向上する。
【００１１】
上記第２の実施形態のＬＥＤ電源回路において、さらに、電力供給回路の出力電圧を検出する電圧検出回路を備え、電力供給回路が、電圧検出回路によって検出される出力電圧が所定の電圧設定値に一致するように定電圧制御を行う定電圧回路からなる構成としてもよい。このように、電力供給回路が定電圧回路である場合には、その電圧フィードバック作用により出力回路短絡時の出力電流の変化が増幅され、上記の出力電流検出による短絡判別の精度が向上する。
【００１２】
上記の第１又は第２の実施形態によるＬＥＤ電源回路において、短絡確認期間において出力電圧が閾値を下回った回数が所定値以上の場合又は出力電流が閾値を超えた回数が所定値以上の場合には制御部が停止信号を出力するように構成してもよい。このように出力電圧又は出力電流の振動回数を検出することにより、出力回路の不完全断線の箇所における放電及び発熱を確実に回避することができる。
【００１３】
また、短絡確認期間において出力電圧が閾値を下回った回数が所定値に達した時点又は出力電流が閾値を下回った回数が所定値に達した時点で制御部が停止信号を出力するように構成してもよい。このように出力電圧又は出力電流の振動回数を検出することにより、出力回路の不完全断線の箇所における放電及び発熱を迅速に回避することができる。
【００１４】
ここで、短絡確認期間は０．５秒以上５秒以下であることが好ましい。これにより、ＬＥＤの断線又は回復の判断期間が適正化され、断線又は回復についての正確な判断が行われるとともに、ＬＥＤ断線時の不要な損失が回避される。
【００１５】
本発明のＬＥＤ照明装置は、上記いずれかのＬＥＤ電源回路と、ＬＥＤとを備える。これにより、出力回路の短絡判別精度が高く、信頼性の高いＬＥＤ照明装置が実現される。
【図面の簡単な説明】
【００１６】
【図１】本発明の第１の実施形態によるＬＥＤ電源回路及びＬＥＤ照明装置を示すブロック図である。
【図２】本発明の第１の実施形態によるＬＥＤ電源回路の制御を説明する図である。
【図３】本発明の第１の実施形態によるＬＥＤ電源回路の制御を説明する図である。
【図４】本発明の第１の実施形態によるＬＥＤ電源回路の制御を示すフローチャートである。
【図５】本発明の第１の変形例によるＬＥＤ電源回路の制御を示すフローチャートである。
【図６】本発明の第２の変形例によるＬＥＤ電源回路の制御を示すフローチャートである。
【図７】本発明の第２の実施形態によるＬＥＤ電源回路及びＬＥＤ照明装置を示すブロック図である。
【図８】本発明の第２の実施形態によるＬＥＤ電源回路の制御を説明する図である。
【図９】本発明の第２の実施形態によるＬＥＤ電源回路の制御を説明する図である。
【図１０】本発明の第２の実施形態によるＬＥＤ電源回路の制御を示すフローチャートである。
【図１１】本発明の第３の変形例によるＬＥＤ電源回路の制御を示すフローチャートである。
【図１２】本発明の第４の変形例によるＬＥＤ電源回路の制御を示すフローチャートである。
【発明を実施するための形態】
【００１７】
実施形態１．
図１に、本発明の第１の実施形態によるＬＥＤ照明装置を示す。ＬＥＤ照明装置３はＬＥＤ電源回路１及びＬＥＤ２からなる。ＬＥＤ電源回路１は電源回路部１０及び制御部２０を備え、電源回路部１０の入力端には交流電源ＡＣ（例えば、商用電源）が接続される。ＬＥＤ２は電源回路部１０の出力端に直列接続された複数のＬＥＤからなる。
【００１８】
電源回路部１０は、入力回路１１、ＡＣ−ＤＣ変換回路１２、電力供給回路１３、電流検出回路１４及び電圧検出回路１５を備え、交流電源ＡＣからの入力交流電力を直流電流に変換してＬＥＤ２に供給する。また、電源回路部１０は制御部２０から停止信号が入力された場合には、その出力動作を停止する。本実施形態では、ＬＥＤ２の短絡、電力供給回路１３のトランス二次巻線のレアショート等、電力供給回路１３の出力側における短絡が検出された場合に、制御部２０が停止信号を出力する。なお、以降の説明では、ＬＥＤ２の短絡に関する場合を例として説明するが、本発明は上記のレアショート等他の短絡モードの場合にも同様に適用され得る。
【００１９】
入力回路１１は電流ヒューズ及びノイズフィルタを備える。ＡＣ−ＤＣ変換回路１２は、交流電源ＡＣからの入力交流電圧を整流及び平滑し、又は整流、昇圧及び平滑し、直流電圧を電力供給回路１３に出力する。電力供給回路１３は、フライバックコンバータ回路、降圧チョッパ回路等のＤＣ−ＤＣ降圧コンバータ回路からなり、直流電力を出力する。電流検出回路１４は低抵抗素子からなる。本実施形態では、電力供給回路１３は、電流検出回路１４によって検出されたＬＥＤ電流が、予め設定された電流設定値に一致するように出力電流をフィードバック制御する定電流回路１３ａからなる。電圧検出回路１５は分圧抵抗Ｒ１及びＲ２からなり、抵抗Ｒ１に発生する電圧が制御部２０に入力される。これにより、定電流回路１３ａの出力電圧が検出される。
【００２０】
制御部２０は、Ａ／Ｄコンバータ２１及びマイクロコンピュータ２２（以下、「マイコン２２」という）を備える。Ａ／Ｄコンバータ２１は電圧検出回路１５から入力されるアナログの出力電圧をデジタルデータの出力電圧に変換する。マイコン２２は、Ａ／Ｄコンバータ２１から入力される出力電圧が所定の条件を満たす場合に停止信号を出力する。具体的には、マイコン２２は、出力電圧が閾値未満となってからの短絡確認期間の長さＴｓに対する、出力電圧が閾値以上となる回復期間の合計の長さＴｘの割合によって規定される回復率Ｔｘ／Ｔｓを演算する。マイコン２２は、回復率Ｔｘ／Ｔｓが所定値α以上の場合には定電流回路１３ａの動作を継続させ、回復率Ｔｘ／Ｔｓが所定値α未満の場合には停止信号を出力して定電流回路１３ａの動作を停止させる。例えば、αは８５％〜９５％、好ましくは９０％程度であればよい。
【００２１】
図２を参照して、制御部２０（マイコン２２）における制御の一例を説明する。図２では、横軸に時間を、縦軸に出力電圧Ｖｏｕｔを示す。ｔ１までは、ＬＥＤ２は正常な状態で点灯され、定電流回路１３ａの出力電圧Ｖｏｕｔは通常の（例えば定格）ＬＥＤ電圧に維持されるものとする。ｔ１において、出力電圧Ｖｏｕｔが閾値Ｖｔｈ未満となったことが検出されて短絡確認期間が開始される。ＬＥＤ２が短絡状態となると、電流検出回路１４からの検出電流が過大となるので、定電流回路１３ａはその電流フィードバック動作により出力電流を減らすべく最小出力状態となる。これにより、出力電圧が低下する。
【００２２】
ｔ２に出力電圧Ｖｏｕｔが一時的に閾値Ｖｔｈ以上となり、ｔ３に再び出力電圧Ｖｏｕｔが閾値Ｖｔｈ未満となる。従って、本例では、出力電圧Ｖｏｕｔが閾値Ｖｔｈ以上となる回復期間の合計の長さＴｘはｔ３−ｔ２で規定される。ｔ４において、短絡確認期間の終了と同時に、マイコン２２によって回復率Ｔｘ／Ｔｓが演算される。本例では、回復率Ｔｘ／Ｔｓがα未満であり、ｔ４においてマイコン２２から停止信号が出力されて定電流回路１３ａの出力が停止される。
【００２３】
図３を参照して、制御部２０（マイコン２２）における制御の他の例を説明する。図３でも、横軸に時間を、縦軸に出力電圧Ｖｏｕｔを示す。図２の場合と同様に、出力電圧Ｖｏｕｔは、ｔ１までは通常のＬＥＤ電圧に維持され、ｔ１において閾値Ｖｔｈ未満となり、ｔ２に閾値Ｖｔｈ以上となり、ｔ３に再び閾値Ｖｔｈ未満となり、ｔ４に再び閾値Ｖｔｈ以上となる。従って、この例では、出力電圧Ｖｏｕｔが閾値Ｖｔｈ以上となる回復期間の合計の長さＴｘは（ｔ３−ｔ２）＋（ｔ５−ｔ４）となる。ｔ５において、短絡確認期間の終了と同時に、マイコン２２によって回復率Ｔｘ／Ｔｓが演算される。本例では、回復率Ｔｘ／Ｔｓがα以上であり、ｔ５においてマイコン２２から停止信号は出力されずに定電流回路１３ａの出力が維持され、これによりＬＥＤ２の点灯が維持される。
【００２４】
このように、出力電圧Ｖｏｕｔの低下が一時的に検出されたとしても回復率Ｔｘ／Ｔｓが高い場合には、ＬＥＤ２は短絡後に回復した可能性が高い、又は出力電圧の低下が外来ノイズ、交流電源ＡＣの瞬時停電等に起因する一時的な電圧降下であったものと判断される。そして、ＬＥＤ２が点灯可能なものとして点灯が継続され、無用な消灯が回避される。一方、回復率Ｔｘ／Ｔｓが低い場合にはＬＥＤ２はもはや点灯不能又は点灯不適なものとして定電流回路１３ａの出力が停止される。これにより、ＬＥＤ電源回路１の不要な出力動作が回避される。
【００２５】
ここで、短絡確認期間長Ｔｓは０．５秒〜５秒程度が好ましい。短絡確認期間長Ｔｓが０．５秒未満であると、発生し得る外来ノイズ、瞬時停電等の継続期間が短絡確認期間Ｔｓに占める割合が高くなる。従って、外来ノイズ、瞬時停電等による出力電圧Ｖｏｕｔの一時的な低下と、ＬＥＤ２の短絡による出力電圧Ｖｏｕｔの継続的な低下との判別が難しく、正確な短絡又は回復の検出が困難となる。また、短絡確認期間長Ｔｓが５秒を超えると、ＬＥＤ２が短絡していた場合の過電流状態による回路損失が継続的に発生してしまう。従って、短絡確認期間長Ｔｓは上記の範囲が好ましい。
【００２６】
図４に、ＬＥＤ電源回路１の制御のフローチャートを示す。
ステップＳ１０５において、マイコン２２は短絡確認期間長Ｔｓ及び回復率の閾値（所定値）αをセットする。
ステップＳ１１０において、電源回路部１０が起動し、定電流回路１３ａが定電流出力を開始する。
【００２７】
ステップＳ１１５において、マイコン２２はＡ／Ｄコンバータ２１からのデータを取り込んで出力電圧Ｖｏｕｔを読み込む。
ステップＳ１２０において、マイコン２２は出力電圧Ｖｏｕｔが閾値Ｖｔｈ未満となっているか否かを判断する。出力電圧Ｖｏｕｔが閾値Ｖｔｈ以上である場合（ステップＳ１２０、Ｎｏ）、処理はステップＳ１１５に戻り、出力電圧Ｖｏｕｔが閾値Ｖｔｈ未満である場合（ステップＳ１２０、Ｙｅｓ）、処理はステップＳ１２５に進む。
【００２８】
ステップＳ１２５において、マイコン２２は、短絡確認期間の経過時間を計時するための総期間カウンタＣｓ、及び出力電圧Ｖｏｕｔが閾値Ｖｔｈ以上となる回復期間を計時するための回復期間カウンタＣｘを、それぞれＣｓ＝０及びＣｘ＝０にリセットする。
【００２９】
ステップＳ１３０において、マイコン２２は総期間カウンタＣｓを増分する。
ステップＳ１３５において、マイコン２２はＡ／Ｄコンバータ２１からのデータを取り込んで出力電圧Ｖｏｕｔを読み込む。
【００３０】
ステップＳ１４０において、マイコン２２は出力電圧Ｖｏｕｔが閾値Ｖｔｈ以上であるか否かを判断する。出力電圧Ｖｏｕｔが閾値Ｖｔｈ以上である場合（ステップＳ１４０、Ｙｅｓ）、処理はステップＳ１４５に進み、出力電圧Ｖｏｕｔが閾値Ｖｔｈ未満である場合（ステップＳ１４０、Ｎｏ）、処理はステップＳ１５０に進む。
【００３１】
ステップＳ１４５において、マイコン２２は回復期間カウンタＣｘを増分する。これにより、回復期間の合計長が加算されていく。
ステップＳ１５０において、マイコン２２は総期間カウンタＣｓの値が、短絡確認期間長Ｔｓに達したか否かを判断する。総期間カウンタＣｓが短絡確認期間長Ｔｓに達していない場合（ステップＳ１５０、Ｎｏ）、処理はステップＳ１３０に戻る。総期間カウンタＣｓが短絡確認期間長Ｔｓに到達した場合（ステップＳ１５０、Ｙｅｓ）、処理はステップＳ１５５に進む。なお、ステップＳ１３０からステップＳ１５０までは、例えば、０．１μ秒程度のループであればよい。
【００３２】
ステップＳ１５５において、マイコン２２は、この時点での回復期間カウンタＣｘの値を回復期間の合計長Ｔｘに決定する。
ステップＳ１６０において、マイコン２２は回復率Ｔｘ／Ｔｓを演算する。
ステップＳ１６５において、マイコン２２は回復率Ｔｘ／Ｔｓが所定値α以上か否かを判断する。回復率Ｔｘ／Ｔｓが所定値α以上である場合（ステップＳ１６５、Ｙｅｓ）、処理はステップＳ１１５に戻る。即ち、ＬＥＤ２は正常である、又は回復したものとして、定電流回路１３ａの出力が維持され、ＬＥＤ２の点灯が維持される。一方、回復率Ｔｘ／Ｔｓが所定値α未満である場合（ステップＳ１６５、Ｎｏ）、処理はステップＳ１７０に進む。
【００３３】
ステップＳ１７０において、マイコン２２は停止信号を出力して、定電流回路１３ａの出力を停止させる。即ち、ＬＥＤ２は短絡したものとしてＬＥＤ電源回路１の出力が停止される。
【００３４】
以上のように、本実施形態によると、短絡確認期間Ｔｓにおける回復率Ｔｘ／Ｔｓが高い場合には定電流回路１３ａの出力が継続され、回復率Ｔｘ／Ｔｓが低い場合には定電流回路１３ａの出力が停止される。これにより、ＬＥＤ２等の出力回路が一時的に短絡した後に健全な状態に回復傾向にある場合、又は外来ノイズ、瞬時停電等によって一時的に出力電圧Ｖｏｕｔが低下した場合に、ＬＥＤ２の点灯を維持することができ、無用な消灯を回避することができる。これにより、ＬＥＤ照明装置３における照明機能が確実に確保される。また、ＬＥＤ２等の出力回路が不完全な短絡を起こし、出力電圧Ｖｏｕｔが頻繁に振動する場合であっても回復期間Ｔｘが短ければ定電流回路１３ａの出力が停止されるので、不完全短絡箇所における放電及び発熱が回避される。特に、定電流回路１３ａの電流フィードバック作用により出力回路短絡時の出力電圧の変化が増幅され、上記の短絡判別の精度が向上する。
【００３５】
変形例１．
上記実施形態１では、回復率Ｔｘ／Ｔｓが所定値α未満の場合、即ち、回復の可能性が低い場合に定電流回路１３ａの出力を停止させる構成を示したが、本変形例ではさらに短絡／回復の反復頻度が高い場合にも定電流回路１３ａの出力を停止させる構成を示す。即ち、本変形例では、短絡確認期間内に出力電圧が多数回にわたって変動した場合には、ＬＥＤ２等において不完全な短絡が発生しているものとして、定電流回路１３ａの出力が停止される。
【００３６】
本変形例の回路構成は図１に示す実施形態１のものと同様であるが、制御部２０（マイコン２２）における制御が異なる。マイコン２２は、回復率Ｔｘ／Ｔｓが所定値α未満の場合だけでなく、短絡確認期間において出力電圧Ｖｏｕｔが閾値Ｖｔｈ未満となった回数（以下、「出力変動回数」という）が所定値β以上の場合にも停止信号を出力する。
【００３７】
図５に本変形例によるＬＥＤ電源回路１の制御のフローチャートを示す。なお、図４に示す実施形態１のフローチャートと同様のステップには同一の符号を付し、詳細な説明を省略する。
【００３８】
ステップＳ１０６において、マイコン２２は短絡確認期間長Ｔｓ、回復率の閾値（所定値）α及び出力変動回数の閾値（所定値）βをセットする。なお、β≧２である。
ステップＳ１１０からステップＳ１２０は図４に示す実施形態１のものと同様である。即ち、ステップＳ１１０で電源回路部１０が起動し、ステップＳ１１５で出力電圧Ｖｏｕｔが読み込まれる。そして、ステップＳ１２０において、出力電圧Ｖｏｕｔが閾値Ｖｔｈ未満である場合には処理はステップＳ１２５に進み、出力電圧Ｖｏｕｔが閾値Ｖｔｈ以上である場合には処理はステップＳ１１５に戻る。
【００３９】
ステップＳ１２０の後のステップＳ１２６において、マイコン２２は総期間カウンタＣｓ、回復期間カウンタＣｘ、及び出力変動回数を計数する出力変動カウンタＣｙについて、それぞれＣｓ＝０、Ｃｘ＝０及びＣｙ＝１にリセットする。
ステップＳ１２７において、出力電圧Ｖｏｕｔが閾値Ｖｔｈ未満となっていることを示す出力低下フラグＦｄをＦｄ＝１にセットする。
【００４０】
ステップＳ１３０において、マイコン２２は総期間カウンタＣｓを増分する。
ステップＳ１３５において、マイコン２２はＡ／Ｄコンバータ２１からのデータを取り込んで出力電圧Ｖｏｕｔを読み込む。
【００４１】
ステップＳ１４０において、マイコン２２は出力電圧Ｖｏｕｔが閾値Ｖｔｈ以上であるか否かを判断する。出力電圧Ｖｏｕｔが閾値Ｖｔｈ以上である場合（ステップＳ１４０、Ｙｅｓ）、処理はステップＳ１４６に進み、出力電圧Ｖｏｕｔが閾値Ｖｔｈ未満である場合（ステップＳ１４０、Ｎｏ）、処理はステップＳ１４７に進む。
【００４２】
ステップＳ１４６において、マイコン２２は回復期間カウンタＣｘを増分する。これにより、回復期間の合計長が加算されていく。また、マイコン２２は出力低下フラグＦｄをＦｄ＝０にリセットして、処理はステップＳ１５０に移行する。
【００４３】
ステップＳ１４７において、マイコン２２は出力低下フラグＦｄ＝０であるか否かを判断する。出力低下フラグＦｄ＝０の場合（ステップＳ１４７、Ｙｅｓ）、処理はステップＳ１４８に進み、出力低下フラグＦｄ＝１の場合（ステップＳ１４７、Ｎｏ）、処理はステップＳ１５０に進む。
ステップＳ１４８において、マイコン２２は出力変動カウンタＣｙを増分するとともに出力低下フラグＦｄをＦｄ＝１にセットする。これにより、出力低下フラグＦｄがＦｄ＝０からＦｄ＝１になった回数、即ち、出力電圧Ｖｏｕｔが閾値Ｖｔｈを下回った回数が加算される。
【００４４】
ステップＳ１５０において、マイコン２２は総期間カウンタＣｓが短絡確認期間長Ｔｓに達したか否かを判断する。総期間カウンタＣｓが短絡確認期間長Ｔｓに達していない場合（ステップＳ１５０、Ｎｏ）、処理はステップＳ１３０に戻る。総期間カウンタＣｓが短絡確認期間長Ｔｓに到達した場合（ステップＳ１５０、Ｙｅｓ）、処理はステップＳ１５５に進む。
【００４５】
ステップＳ１５５において、マイコン２２は、この時点での回復期間カウンタＣｘの値を回復期間の合計長Ｔｘに決定する。
ステップＳ１６０において、マイコン２２は回復率Ｔｘ／Ｔｓを演算する。
ステップＳ１６５において、マイコン２２は回復率Ｔｘ／Ｔｓが所定値α以上か否かを判断する。回復率Ｔｘ／Ｔｓが所定値α以上である場合（ステップＳ１６５、Ｙｅｓ）、処理はステップＳ１６６に進む。一方、回復率Ｔｘ／Ｔｓが所定値α未満である場合（ステップＳ１６５、Ｎｏ）、処理はステップＳ１７０に進む。
【００４６】
ステップＳ１６６において、マイコン２２は、出力変動カウンタＣｙが所定値β以上であるか否かを判断する。出力変動カウンタＣｙが所定値β未満である場合（ステップＳ１６６、Ｎｏ）、処理はステップＳ１１５に戻る。即ち、ＬＥＤ２は正常である、又は回復したものとして、定電流回路１３ａの出力が維持され、ＬＥＤ２の点灯が維持される。出力変動カウンタＣｙが所定値β以上の場合（ステップＳ１６６、Ｙｅｓ）、処理はステップＳ１７０に進む。
【００４７】
ステップＳ１７０において、マイコン２２は停止信号を出力して、定電流回路１３ａの出力を停止させる。即ち、ＬＥＤ２は完全に又は不完全に短絡したものとしてＬＥＤ電源回路１の出力が停止される。
【００４８】
このように、短絡確認期間内に出力電圧Ｖｏｕｔが閾値Ｖｔｈを回数β以上にわたって下回った場合には、回復率Ｔｘ／Ｔｓが所定値α以上であっても、定電流回路１３ａの出力が停止される。従って、不完全な短絡状態のＬＥＤ２が確実に消灯され、短絡箇所での放電及び発熱が防止される。また、外来ノイズ等に起因して発生し得る単発又は少ない回数の出力電圧変動と、不完全な短絡状態に起因する出力電圧変動とが判別され、検出動作における耐ノイズ性が向上する。
【００４９】
変形例２．
上記変形例では、短絡確認期間終了時点での出力変動回数が所定値を超えた場合に定電流回路１３ａを停止させる構成を示したが、本変形例では短絡確認期間中であっても出力変動回数が所定値を超えた場合に定電流回路１３ａを停止させる構成を示す。即ち、本変形例では、不完全な短絡が発生した場合に迅速に定電流回路１３ａの出力が停止される。
【００５０】
本変形例の回路構成は図１に示す実施形態１のものと同様であるが、制御部２０（マイコン２２）における制御が異なる。マイコン２２は、回復率Ｔｘ／Ｔｓが所定値α未満であると判断される前であっても、短絡確認期間内に出力変動回数が所定値βに達した時点で停止信号を出力する。
【００５１】
図６に本変形例によるＬＥＤ電源回路１の制御のフローチャートを示す。なお、図４に示す実施形態１のフローチャートと同様のステップには同一の符号を付し、詳細な説明を省略する。
【００５２】
ステップＳ１０６において、マイコン２２は短絡確認期間長Ｔｓ、回復率の閾値（所定値）α及び出力変動回数の閾値（所定値）βをセットする。なお、β≧２である。
ステップＳ１１０からステップＳ１２０は図４に示す実施形態１のものと同様である。即ち、ステップＳ１１０で電源回路部１０が起動し、ステップＳ１１５で出力電圧Ｖｏｕｔが読み込まれる。そして、ステップＳ１２０において、出力電圧Ｖｏｕｔが閾値Ｖｔｈ未満である場合には処理はステップＳ１２５に進み、出力電圧Ｖｏｕｔが閾値Ｖｔｈ以上の場合には処理はステップＳ１１５に戻る。
【００５３】
ステップＳ１２０の後のステップＳ１２６において、マイコン２２は総期間カウンタＣｓ、回復期間カウンタＣｘ、及び出力変動回数を計測するための出力変動カウンタＣｙについて、それぞれＣｓ＝０、Ｃｘ＝０及びＣｙ＝１にリセットする。
ステップＳ１２７において、出力電圧Ｖｏｕｔが閾値Ｖｔｈ未満となっていることを示す出力低下フラグＦｄをＦｄ＝１にセットする。
【００５４】
ステップＳ１３０において、マイコン２２は総期間カウンタＣｓを増分する。
ステップＳ１３５において、マイコン２２はＡ／Ｄコンバータ２１からのデータを取り込んで出力電圧Ｖｏｕｔを読み込む。
【００５５】
ステップＳ１４０において、マイコン２２は出力電圧Ｖｏｕｔが閾値Ｖｔｈ以上であるか否かを判断する。出力電圧Ｖｏｕｔが閾値Ｖｔｈ以上である場合（ステップＳ１４０、Ｙｅｓ）、処理はステップＳ１４６に進み、出力電圧Ｖｏｕｔが閾値Ｖｔｈ未満である場合（ステップＳ１４０、Ｎｏ）、処理はステップＳ１４７に進む。
【００５６】
ステップＳ１４６において、マイコン２２は回復期間カウンタＣｘを増分する。これにより、回復期間の合計長が加算されていく。また、マイコン２２は出力低下フラグＦｄをＦｄ＝０にリセットし、処理はステップＳ１５０に移行する。
【００５７】
ステップＳ１４７において、マイコン２２は出力低下フラグＦｄがＦｄ＝０であるか否かを判断する。出力低下フラグＦｄがＦｄ＝０の場合（ステップＳ１４７、Ｙｅｓ）、処理はステップＳ１４８に進み、出力低下フラグＦｄがＦｄ＝１の場合（ステップＳ１４７、Ｎｏ）、処理はステップＳ１５０に進む。
ステップＳ１４８において、マイコン２２は出力変動カウンタＣｙを増分するとともに出力低下フラグＦｄをＦｄ＝１にセットする。これにより、出力低下フラグＦｄがＦｄ＝０からＦｄ＝１になった回数、即ち、出力電圧Ｖｏｕｔが閾値Ｖｔｈを下回った回数が加算される。
【００５８】
ステップＳ１４９において、マイコン２２は出力変動カウンタＣｙが所定値βに達したか否か、即ち、Ｃｙ＝βか否かを判断する。出力変動カウンタＣｙがＣｙ≠β（即ち、Ｃｙ＜β）である場合（ステップＳ１４９、Ｎｏ）、処理はステップＳ１６０に進む。出力変動カウンタＣｙがＣｙ＝βである場合（ステップＳ１４９、Ｙｅｓ）、処理はステップＳ１７０に進む。
【００５９】
ステップＳ１５０からステップＳ１７０までは、図４に示す実施形態１のフローと同様である。即ち、回復率Ｔｘ／Ｔｓが所定値α以上である場合には処理はステップＳ１１５に戻り、定電流回路１３ａの出力が維持され、ＬＥＤ２の点灯が維持される。回復率Ｔｘ／Ｔｓが所定値α未満である場合には処理はステップＳ１７０に進み、定電流回路１３ａの出力が停止される。
【００６０】
このように、短絡確認期間中であっても、出力電圧Ｖｏｕｔが閾値Ｖｔｈを回数βにわたって下回った場合には、回復率Ｔｘ／Ｔｓにかかわらず、定電流回路１３ａの出力が停止されてＬＥＤ２が消灯される。従って、不完全な短絡状態のＬＥＤ２が迅速に消灯され、短絡箇所での発熱が防止される。また、変形例１と同様に、外来ノイズ等に起因して発生し得る単発又は少ない回数の出力電圧変動と、不完全な短絡状態に起因する出力電圧変動とが判別され、検出動作における耐ノイズ性が向上する。
【００６１】
実施形態２．
上記実施形態１では、定電流制御において出力電圧を検出して出力回路の短絡判別を行う構成を示したが、本実施形態では、定電圧制御において出力電流を検出して出力回路の短絡判別を行う構成を示す。
【００６２】
図７に、本実施形態によるＬＥＤ照明装置を示す。ＬＥＤ照明装置３はＬＥＤ電源回路１及びＬＥＤ２からなり、ＬＥＤ電源回路１は電源回路部１０及び制御部２０を備える。電源回路部１０は、入力回路１１、ＡＣ−ＤＣ変換回路１２、電力供給回路１３、電流検出回路１４及び電圧検出回路１５を備える。なお、実施形態１（図１）における符号と同一の符号が付された構成要素は、特に説明がない限り、実質的に同一の構成要素を示すものとし、重複する説明を省略する。
【００６３】
電力供給回路１３は、フライバックコンバータ回路、降圧チョッパ回路等のＤＣ−ＤＣ降圧コンバータ回路からなる。本実施形態の電力供給回路１３は、電圧検出回路１５によって検出されたＬＥＤ電圧が、予め設定された電圧設定値に一致するように出力電圧をフィードバック制御する定電圧回路１３ｂからなる。電流検出回路１４に発生する電圧が制御部２０に入力され、定電圧回路１３ｂの出力電流が検出される。
【００６４】
制御部２０は、Ａ／Ｄコンバータ２１及びマイコン２２を備え、Ａ／Ｄコンバータ２１は電流検出回路１４から入力されるアナログの出力電圧をデジタルデータの出力電圧に変換する。マイコン２２は、Ａ／Ｄコンバータ２１から入力される出力電圧が所定の条件を満たす場合に停止信号を出力する。具体的には、マイコン２２は、出力電流が閾値を超えてからの短絡確認期間の長さＴｓに対する、出力電流が閾値以下となる回復期間の合計の長さＴｘの割合によって規定される回復率Ｔｘ／Ｔｓを演算する。マイコン２２は、回復率Ｔｘ／Ｔｓが所定値α以上の場合には定電圧回路１３ｂの動作を継続させ、回復率Ｔｘ／Ｔｓが所定値α未満の場合には停止信号を出力して定電圧回路１３ｂの動作を停止させる。例えば、αは８５％〜９５％、好ましくは９０％程度であればよい。
【００６５】
図８を参照して、制御部２０（マイコン２２）における制御の一例を説明する。図８では、横軸に時間を、縦軸に出力電流Ｉｏｕｔを示す。ｔ１までは、ＬＥＤ２は正常な状態で点灯され、定電圧回路１３ｂの出力電流Ｉｏｕｔは通常の（例えば定格）ＬＥＤ電流に維持されるものとする。ｔ１において、出力電流Ｉｏｕｔが閾値Ｉｔｈを超えたことが検出されて短絡確認期間が開始される。ＬＥＤ２が短絡すると、電圧検出回路１５からの検出電圧が低くなるので、定電圧回路１３ｂは出力電圧を増やすべく最大出力状態となる。これにより、定電圧回路１３ｂの出力電流が増大する。
【００６６】
ｔ２に出力電流Ｉｏｕｔが一時的に閾値Ｉｔｈ以下となり、ｔ３に再び出力電流Ｉｏｕｔが閾値Ｉｔｈを超える。従って、本例では、出力電流Ｉｏｕｔが閾値Ｉｔｈ以下となる回復期間の合計の長さＴｘはｔ３−ｔ２で規定される。ｔ４において、短絡確認期間の終了と同時に、マイコン２２によって回復率Ｔｘ／Ｔｓが演算される。本例では、回復率Ｔｘ／Ｔｓがα未満であり、ｔ４においてマイコン２２から停止信号が出力されて定電圧回路１３ｂの出力が停止される。
【００６７】
図９を参照して、制御部２０（マイコン２２）における制御の他の例を説明する。図９でも、横軸に時間を、縦軸に出力電流Ｉｏｕｔを示す。図８の場合と同様に、出力電流Ｉｏｕｔは、ｔ１までは通常のＬＥＤ電流に維持され、ｔ１において閾値Ｉｔｈを超え、ｔ２に閾値Ｉｔｈ以下となり、ｔ３に再び閾値Ｉｔｈを超え、ｔ４に再び閾値Ｉｔｈ以下となる。従って、この例では、出力電流Ｉｏｕｔが閾値Ｉｔｈ以下となる回復期間の合計の長さＴｘは（ｔ３−ｔ２）＋（ｔ５−ｔ４）となる。ｔ５において、短絡確認期間の終了と同時に、マイコン２２によって回復率Ｔｘ／Ｔｓが演算される。本例では、回復率Ｔｘ／Ｔｓがα以上であり、ｔ５においてマイコン２２から停止信号は出力されずに定電圧回路１３ｂの出力が維持され、これによりＬＥＤ２の点灯が維持される。
【００６８】
このように、出力電流Ｉｏｕｔの上昇が一時的に検出されたとしても回復率Ｔｘ／Ｔｓが高い場合には、ＬＥＤ２は短絡後に回復した可能性が高い、又は出力電流の上昇が雷サージ等の外来ノイズに起因するサージ電圧であったものと判断される。そして、ＬＥＤ２が点灯可能なものとして定電圧回路１３ｂの出力が継続され、無用な消灯が回避される。一方、回復率Ｔｘ／Ｔｓが低い場合にはＬＥＤ２はもはや点灯不能又は点灯不適なものとして定電圧回路１３ｂの出力が停止される。これにより、ＬＥＤ電源回路１の不要な出力動作が回避される。
【００６９】
ここで、実施形態１と同様に、短絡確認期間長Ｔｓは０．５秒〜５秒程度が好ましい。短絡確認期間長Ｔｓが０．５秒未満であると、発生し得る外来ノイズ等の継続期間が短絡確認期間Ｔｓに占める割合が高くなる。従って、外来ノイズ等による出力電流Ｉｏｕｔの一時的な上昇と、ＬＥＤ２の短絡による出力電流Ｉｏｕｔの継続的な上昇との判別が難しく、正確な短絡又は回復の検出が困難となる。また、短絡確認期間長Ｔｓが５秒を超えると、ＬＥＤ２が短絡していた場合の回路損失が継続的に発生してしまう。従って、短絡確認期間長Ｔｓは上記の範囲が好ましい。
【００７０】
図１０に、ＬＥＤ電源回路１の制御のフローチャートを示す。
ステップＳ２０５において、マイコン２２は短絡確認期間長Ｔｓ及び回復率の閾値（所定値）αをセットする。
ステップＳ２１０において、電源回路部１０が起動し、定電圧回路１３ｂが定電圧出力を開始する。
【００７１】
ステップＳ２１５において、マイコン２２はＡ／Ｄコンバータ２１からのデータを取り込んで出力電流Ｉｏｕｔを読み込む。
ステップＳ２２０において、マイコン２２は出力電流Ｉｏｕｔが閾値Ｉｔｈを超えるか否かを判断する。出力電流Ｉｏｕｔが閾値Ｉｔｈ以下である場合（ステップＳ２２０、Ｎｏ）、処理はステップＳ２１５に戻り、出力電流Ｉｏｕｔが閾値Ｉｔｈを超える場合（ステップＳ２２０、Ｙｅｓ）、処理はステップＳ２２５に進む。
【００７２】
ステップＳ２２５において、マイコン２２は、短絡確認期間の経過時間を計時するための総期間カウンタＣｓ、及び出力電流Ｉｏｕｔが閾値Ｉｔｈ以下となる回復期間を計時するための回復期間カウンタＣｘを、それぞれＣｓ＝０及びＣｘ＝０にリセットする。
【００７３】
ステップＳ２３０において、マイコン２２は総期間カウンタＣｓを増分する。
ステップＳ２３５において、マイコン２２はＡ／Ｄコンバータ２１からのデータを取り込んで出力電流Ｉｏｕｔを読み込む。
【００７４】
ステップＳ２４０において、マイコン２２は出力電流Ｉｏｕｔが閾値Ｉｔｈ以下であるか否かを判断する。出力電流Ｉｏｕｔが閾値Ｉｔｈ以下である場合（ステップＳ２４０、Ｙｅｓ）、処理はステップＳ２４５に進み、出力電流Ｉｏｕｔが閾値Ｉｔｈを超えている場合（ステップＳ２４０、Ｎｏ）、処理はステップＳ２５０に進む。
【００７５】
ステップＳ２４５において、マイコン２２は回復期間カウンタＣｘを増分する。これにより、回復期間の合計長が加算されていく。
ステップＳ２５０において、マイコン２２は総期間カウンタＣｓの値が、短絡確認期間長Ｔｓに達したか否かを判断する。総期間カウンタＣｓが短絡確認期間長Ｔｓに達していない場合（ステップＳ２５０、Ｎｏ）、処理はステップＳ２３０に戻る。総期間カウンタＣｓが短絡確認期間長Ｔｓに到達した場合（ステップＳ２５０、Ｙｅｓ）、処理はステップＳ２５５に進む。なお、ステップＳ２３０からステップＳ２５０までは、例えば、０．１μ秒程度のループであればよい。
【００７６】
ステップＳ２５５において、マイコン２２は、この時点での回復期間カウンタＣｘの値を回復期間の合計長Ｔｘに決定する。
ステップＳ２６０において、マイコン２２は回復率Ｔｘ／Ｔｓを演算する。
ステップＳ２６５において、マイコン２２は回復率Ｔｘ／Ｔｓが所定値α以上か否かを判断する。回復率Ｔｘ／Ｔｓが所定値α以上である場合（ステップＳ２６５、Ｙｅｓ）、処理はステップＳ２１５に戻る。即ち、ＬＥＤ２は正常である、又は回復したものとして、定電圧回路１３ｂの出力が維持され、ＬＥＤ２の点灯が維持される。一方、回復率Ｔｘ／Ｔｓが所定値α未満である場合（ステップＳ２６５、Ｎｏ）、処理はステップＳ２７０に進む。
【００７７】
ステップＳ２７０において、マイコン２２は停止信号を出力して、定電圧回路１３ｂの出力を停止させる。即ち、ＬＥＤ２は短絡したものとしてＬＥＤ電源回路１の出力が停止される。
【００７８】
以上のように、本実施形態によると、短絡確認期間Ｔｓにおける回復率Ｔｘ／Ｔｓが高い場合には定電圧回路１３ｂの出力が継続され、回復率Ｔｘ／Ｔｓが低い場合には定電圧回路１３ｂの出力が停止される。これにより、ＬＥＤ２等の出力回路が一時的に短絡した後に健全な状態に回復傾向にある場合、又は外来ノイズ等によって一時的に出力電流Ｉｏｕｔが上昇した場合に、ＬＥＤ２の点灯を維持することができ、無用な消灯を回避することができる。これにより、ＬＥＤ照明装置３における照明機能が確実に確保される。また、ＬＥＤ２等の出力回路が不完全な短絡を起こし、出力電流Ｉｏｕｔが頻繁に振動する場合であっても回復期間Ｔｘが短ければ定電圧回路１３ｂの出力が停止されるので、不完全短絡箇所における放電及び発熱が回避される。特に、定電圧回路１３ｂの電圧フィードバック作用により出力回路短絡時の出力電流の変化が増幅され、上記の短絡判別の精度が向上する。
【００７９】
変形例３．
上記実施形態２では、回復率Ｔｘ／Ｔｓが所定値α未満の場合、即ち、回復の可能性が低い場合に定電圧回路１３ｂの出力を停止させる構成を示したが、本変形例では、変形例１と同様に、さらに短絡／回復の反復頻度が高い場合にも定電圧回路１３ｂの出力を停止させる構成を示す。即ち、本変形例では、短絡確認期間内に出力電流が多数回にわたって変動した場合には、ＬＥＤ２等において不完全な短絡が発生しているものとして、定電圧回路１３ｂの出力が停止される。
【００８０】
本変形例の回路構成は図７に示す実施形態２のものと同様であるが、制御部２０（マイコン２２）における制御が異なる。マイコン２２は、回復率Ｔｘ／Ｔｓが所定値α未満の場合だけでなく、短絡確認期間において出力電流Ｉｏｕｔが閾値Ｉｔｈを超えた回数（以下、「出力変動回数」という）が所定値β以上の場合にも停止信号を出力する。
【００８１】
図１１に本変形例によるＬＥＤ電源回路１の制御のフローチャートを示す。なお、図１０に示す実施形態２のフローチャートと同様のステップには同一の符号を付し、詳細な説明を省略する。
【００８２】
ステップＳ２０６において、マイコン２２は短絡確認期間長Ｔｓ、回復率の閾値（所定値）α及び出力変動回数の閾値（所定値）βをセットする。なお、β≧２である。
ステップＳ２１０からステップＳ２２０は図１０に示す実施形態２のものと同様である。即ち、ステップＳ２１０で電源回路部１０が起動し、ステップＳ２１５で出力電流Ｉｏｕｔが読み込まれる。そして、ステップＳ２２０において、出力電流Ｉｏｕｔが閾値Ｉｔｈより大きい場合には処理はステップＳ２２５に進み、出力電流Ｉｏｕｔが閾値Ｉｔｈ以下の場合には処理はステップＳ２１５に戻る。
【００８３】
ステップＳ２２０の後のステップＳ２２６において、マイコン２２は総期間カウンタＣｓ、回復期間カウンタＣｘ、及び出力変動回数を計数する出力変動カウンタＣｙについて、それぞれＣｓ＝０、Ｃｘ＝０及びＣｙ＝１にリセットする。
ステップＳ２２７において、出力電流Ｉｏｕｔが閾値Ｉｔｈを超えていることを示す出力上昇フラグＦｕをＦｕ＝１にセットする。
【００８４】
ステップＳ２３０において、マイコン２２は総期間カウンタＣｓを増分する。
ステップＳ２３５において、マイコン２２はＡ／Ｄコンバータ２１からのデータを取り込んで出力電流Ｉｏｕｔを読み込む。
【００８５】
ステップＳ２４０において、マイコン２２は出力電流Ｉｏｕｔが閾値Ｉｔｈ以下であるか否かを判断する。出力電流Ｉｏｕｔが閾値Ｉｔｈ以下である場合（ステップＳ２４０、Ｙｅｓ）、処理はステップＳ２４６に進み、出力電流Ｉｏｕｔが閾値Ｉｔｈを超える場合（ステップＳ２４０、Ｎｏ）、処理はステップＳ２４７に進む。
【００８６】
ステップＳ２４６において、マイコン２２は回復期間カウンタＣｘを増分する。これにより、回復期間の合計長が加算されていく。また、マイコン２２は出力上昇フラグＦｕをＦｕ＝０にリセットして、処理はステップＳ２５０に移行する。
【００８７】
ステップＳ２４７において、マイコン２２は出力上昇フラグＦｕ＝０であるか否かを判断する。出力上昇フラグＦｕ＝０の場合（ステップＳ２４７、Ｙｅｓ）、処理はステップＳ２４８に進み、出力上昇フラグＦｕ＝１の場合（ステップＳ２４７、Ｎｏ）、処理はステップＳ２５０に進む。
ステップＳ２４８において、マイコン２２は出力変動カウンタＣｙを増分するとともに出力上昇フラグＦｕをＦｕ＝１にセットする。これにより、出力上昇フラグＦｕがＦｕ＝０からＦｕ＝１になった回数、即ち、出力電流Ｉｏｕｔが閾値Ｉｔｈを超えた回数が加算される。
【００８８】
ステップＳ２５０において、マイコン２２は総期間カウンタＣｓが短絡確認期間長Ｔｓに達したか否かを判断する。総期間カウンタＣｓが短絡確認期間長Ｔｓに達していない場合（ステップＳ２５０、Ｎｏ）、処理はステップＳ２３０に戻る。総期間カウンタＣｓが短絡確認期間長Ｔｓに到達した場合（ステップＳ２５０、Ｙｅｓ）、処理はステップＳ２５５に進む。
【００８９】
ステップＳ２５５において、マイコン２２は、この時点での回復期間カウンタＣｘの値を回復期間の合計長Ｔｘに決定する。
ステップＳ２６０において、マイコン２２は回復率Ｔｘ／Ｔｓを演算する。
ステップＳ２６５において、マイコン２２は回復率Ｔｘ／Ｔｓが所定値α以上か否かを判断する。回復率Ｔｘ／Ｔｓが所定値α以上である場合（ステップＳ２６５、Ｙｅｓ）、処理はステップＳ２６６に進む。一方、回復率Ｔｘ／Ｔｓが所定値α未満である場合（ステップＳ２６５、Ｎｏ）、処理はステップＳ２７０に進む。
【００９０】
ステップＳ２６６において、マイコン２２は、出力変動カウンタＣｙが所定値β以上であるか否かを判断する。出力変動カウンタＣｙが所定値β未満である場合（ステップＳ２６６、Ｎｏ）、処理はステップＳ２１５に戻る。即ち、ＬＥＤ２は正常である、又は回復したものとして、定電圧回路１３ｂの出力が維持され、ＬＥＤ２の点灯が維持される。出力変動カウンタＣｙが所定値β以上の場合（ステップＳ２６６、Ｙｅｓ）、処理はステップＳ２７０に進む。
【００９１】
ステップＳ２７０において、マイコン２２は停止信号を出力して、定電圧回路１３ｂの出力を停止させる。即ち、ＬＥＤ２は完全に又は不完全に短絡したものとしてＬＥＤ電源回路１の出力が停止される。
【００９２】
このように、短絡確認期間内に出力電流Ｉｏｕｔが閾値Ｉｔｈを回数β以上にわたって超えた場合には、回復率Ｔｘ／Ｔｓが所定値α以上であっても、定電圧回路１３ｂの出力が停止される。従って、不完全な短絡状態のＬＥＤ２が確実に消灯され、短絡箇所での放電及び発熱が防止される。また、外来ノイズ等に起因して発生し得る単発又は少ない回数の出力電流変動と、不完全な短絡状態に起因する出力電流変動とが判別され、検出動作における耐ノイズ性が向上する。
【００９３】
変形例４．
上記変形例３では、短絡確認期間終了時点での出力変動回数が所定値を超えた場合に定電圧回路１３ｂを停止させる構成を示したが、本変形例では、変形例２と同様に、短絡確認期間中であっても出力変動回数が所定値を超えた場合に定電圧回路１３ｂを停止させる構成を示す。即ち、本変形例では、不完全な短絡が発生した場合に迅速に定電圧回路１３ｂの出力が停止される。
【００９４】
本変形例の回路構成は図７に示す実施形態２のものと同様であるが、制御部２０（マイコン２２）における制御が異なる。マイコン２２は、回復率Ｔｘ／Ｔｓが所定値α未満であると判断される前であっても、短絡確認期間内に出力変動回数が所定値βに達した時点で停止信号を出力する。
【００９５】
図１２に本変形例によるＬＥＤ電源回路１の制御のフローチャートを示す。なお、図１０に示す実施形態２のフローチャートと同様のステップには同一の符号を付し、詳細な説明を省略する。
【００９６】
ステップＳ２０６において、マイコン２２は短絡確認期間長Ｔｓ、回復率の閾値（所定値）α及び出力変動回数の閾値（所定値）βをセットする。なお、β≧２である。
ステップＳ２１０からステップＳ２２０は図１０に示す実施形態２のものと同様である。即ち、ステップＳ２１０で電源回路部１０が起動し、ステップＳ２１５で出力電流Ｉｏｕｔが読み込まれる。そして、ステップＳ２２０において、出力電流Ｉｏｕｔが閾値Ｉｔｈを超える場合には処理はステップＳ２２５に進み、出力電流Ｉｏｕｔが閾値Ｉｔｈ以下の場合には処理はステップＳ２１５に戻る。
【００９７】
ステップＳ２２０の後のステップＳ２２６において、マイコン２２は総期間カウンタＣｓ、回復期間カウンタＣｘ、及び出力変動回数を計測するための出力変動カウンタＣｙについて、それぞれＣｓ＝０、Ｃｘ＝０及びＣｙ＝１にリセットする。
ステップＳ２２７において、出力電流Ｉｏｕｔが閾値Ｉｔｈを超えていることを示す出力上昇フラグＦｕをＦｕ＝１にセットする。
【００９８】
ステップＳ２３０において、マイコン２２は総期間カウンタＣｓを増分する。
ステップＳ２３５において、マイコン２２はＡ／Ｄコンバータ２１からのデータを取り込んで出力電流Ｉｏｕｔを読み込む。
【００９９】
ステップＳ２４０において、マイコン２２は出力電流Ｉｏｕｔが閾値Ｉｔｈ以下であるか否かを判断する。出力電流Ｉｏｕｔが閾値Ｉｔｈ以下である場合（ステップＳ２４０、Ｙｅｓ）、処理はステップＳ２４６に進み、出力電流Ｉｏｕｔが閾値Ｉｔｈを超える場合（ステップＳ２４０、Ｎｏ）、処理はステップＳ２４７に進む。
【０１００】
ステップＳ２４６において、マイコン２２は回復期間カウンタＣｘを増分する。これにより、回復期間の合計長が加算されていく。また、マイコン２２は出力上昇フラグＦｕをＦｕ＝０にリセットし、処理はステップＳ２５０に移行する。
【０１０１】
ステップＳ２４７において、マイコン２２は出力上昇フラグＦｕがＦｕ＝０であるか否かを判断する。出力上昇フラグＦｕがＦｕ＝０の場合（ステップＳ２４７、Ｙｅｓ）、処理はステップＳ２４８に進み、出力上昇フラグＦｕがＦｕ＝１の場合（ステップＳ２４７、Ｎｏ）、処理はステップＳ２５０に進む。
ステップＳ２４８において、マイコン２２は出力変動カウンタＣｙを増分するとともに出力上昇フラグＦｕをＦｕ＝１にセットする。これにより、出力上昇フラグＦｕがＦｕ＝０からＦｕ＝１になった回数、即ち、出力電流Ｉｏｕｔが閾値Ｉｔｈを超えた回数が加算される。
【０１０２】
ステップＳ２４９において、マイコン２２は出力変動カウンタＣｙが所定値βに達したか否か、即ち、Ｃｙ＝βか否かを判断する。出力変動カウンタＣｙがＣｙ≠β（即ち、Ｃｙ＜β）である場合（ステップＳ２４９、Ｎｏ）、処理はステップＳ２６０に進む。出力変動カウンタＣｙがＣｙ＝βである場合（ステップＳ２４９、Ｙｅｓ）、処理はステップＳ２７０に進む。
【０１０３】
ステップＳ２５０からステップＳ２７０までは、図１０に示す実施形態２のフローと同様である。即ち、回復率Ｔｘ／Ｔｓが所定値α以上である場合には処理はステップＳ２１５に戻り、定電圧回路１３ｂの出力が維持され、ＬＥＤ２の点灯が維持される。回復率Ｔｘ／Ｔｓが所定値α未満である場合には処理はステップＳ２７０に進み、定電圧回路１３ｂの出力が停止される。
【０１０４】
このように、短絡確認期間中であっても、出力電流Ｉｏｕｔが閾値Ｉｔｈを回数βにわたって超えた場合には、回復率Ｔｘ／Ｔｓにかかわらず、定電圧回路１３ｂの出力が停止されてＬＥＤ２が消灯される。従って、不完全な短絡状態のＬＥＤ２が迅速に消灯され、短絡箇所での発熱が防止される。また、変形例３と同様に、外来ノイズ等に起因して発生し得る単発又は少ない回数の出力電流変動と、不完全な短絡状態に起因する出力電流変動とが判別され、検出動作における耐ノイズ性が向上する。
【０１０５】
以上に、本発明の好適な実施形態及び変形例を記載したが、本発明は以下に示すような更なる変形が可能である。
【０１０６】
・定電流制御と定電圧制御の併用
上記においては、実施形態１（定電流制御）と実施形態２（定電圧制御）を個別に示したが、電力供給回路１３が定電流回路１３ａ及び定電圧回路１３ｂの双方の機能を備え、これらが適宜切り換えられる構成としてもよい。例えば、電流検出回路１４及び電圧検出回路１５のそれぞれの検出値が電力供給回路１３及び制御部２０（Ａ／Ｄコンバータ２１）にそれぞれ入力されるようにしてもよい。この場合、定電流制御が適用される場合には実施形態１で示した制御が適用され、定電圧制御が適用される場合には実施形態２で示した制御が適用されるようにすればよい。
【０１０７】
・停止信号の出力先の変形
上記各実施形態及び各変形例においては、停止信号によって電力供給回路１３が停止される構成を示したが、停止信号によってＡＣ−ＤＣ変換回路１２が停止される構成としてもよいし、交流電源ＡＣのスイッチ（不図示）が遮断される構成としてもよい。いずれの場合においても、電力供給回路１３の出力動作は実質的に停止する。
【０１０８】
・制御部２０の変形
上記各実施形態及び各変形例では、マイコン２２に対してＡ／Ｄコンバータ２１を別途設ける構成を示したが、Ａ／Ｄコンバータ２１がマイコン２２に内蔵される構成としてもよい。
【符号の説明】
【０１０９】
１  ＬＥＤ電源回路
２  ＬＥＤ
３  ＬＥＤ照明装置
１３  電力供給回路
１３ａ  定電流回路
１３ｂ  定電圧回路
１４  電流検出回路
１５  電圧検出回路
２０  制御部
【図１】
2015076212.tif 000003
【図２】
2015076212.tif 000004
【図３】
2015076212.tif 000005
【図４】
2015076212.tif 000006
【図５】
2015076212.tif 000007
【図６】
2015076212.tif 000008
【図７】
2015076212.tif 000009
【図８】
2015076212.tif 000010
【図９】
2015076212.tif 000011
【図１０】
2015076212.tif 000012
【図１１】
2015076212.tif 000013
【図１２】
2015076212.tif 000014